(57)【特許請求の範囲】
【請求項１】
生体の測定部位を加圧するためのカフと、カフ内を加圧・減圧する圧力制御手段と、カフ内の圧力を検出する圧力検出手段と、カフのそれぞれ異なる位置に設けられた複数個の脈波成分検出用の光電センサと、カフに設けられると共に体動成分を検出する少なくとも１個の体動成分検出手段と、光電センサで得られた脈波成分から体動成分検出手段で得られた体動成分を除去して血圧を算出する血圧算出手段と、複数個の光電センサのうち、複数個の光電センサにより得られる光電脈波信号を周波数解析して信号パワーを算出し、各光電センサにより得られる脈波成分と体動成分の信号パワーを比較し、脈波成分対体動成分比が最も高い光電センサを、被測定者の属性に最適な位置にある光電センサとして選定する光電センサ選定手段とを備え、前記光電センサ選定手段で選定された光電センサにより得られる脈波成分を用いて血圧を算出するようにしたことを特徴とする電子血圧計。
【請求項２】
前記光電センサ選定手段は、複数個の光電センサにより得られる光電脈波信号を周波数解析して信号パワーを算出し、体動成分検出手段で得られる体動成分を周波数解析して体動成分の基本周波数を算出し、光電脈波の信号パワー中の成分のうち、体動成分の基本周波数と光電脈波の信号パワーの周波数とが合致する成分を体動成分とすることを特徴とする請求項１記載の電子血圧計。
【請求項３】
生体の測定部位を加圧するためのカフと、カフ内を加圧・減圧する圧力制御手段と、カフ内の圧力を検出する圧力検出手段と、カフのそれぞれ異なる位置に設けられた複数個の脈波成分検出用の光電センサと、カフに設けられると共に体動成分を検出する少なくとも１個の体動成分検出手段と、光電センサで得られた脈波成分から体動成分検出手段で得られた体動成分を除去して血圧を算出する血圧算出手段と、複数個の光電センサのうち、被測定者の属性に最適な位置にある光電センサを選定する光電センサ選定手段とを備え、前記光電センサ選定手段で選定された光電センサにより得られる脈波成分を用いて血圧を算出するようにした電子血圧計において、前記体動成分検出手段は、生体の動きによって変化する生体量を測定する複数個の光電センサであり、これら複数個の体動成分検出用の光電センサは、前記複数個の脈波成分検出用の光電センサに対応してカフのそれぞれ異なる位置に設けられ、複数個の体動成分検出用の光電センサのうち、前記被測定者の属性に最適な位置にある脈波成分検出用の光電センサに対応する体動成分検出用の光電センサにより得られる体動信号を、血圧算出における体動成分除去に使用することを特徴とする電子血圧計。
【請求項４】
生体の測定部位を加圧するためのカフと、カフ内を加圧・減圧する圧力制御手段と、カフ内の圧力を検出する圧力検出手段と、カフのそれぞれ異なる位置に設けられた複数個の脈波成分検出用の光電センサと、カフに設けられると共に体動成分を検出する少なくとも１個の体動成分検出手段と、光電センサで得られた脈波成分から体動成分検出手段で得られた体動成分を除去して血圧を算出する血圧算出手段と、複数個の光電センサのうち、被測定者の属性に最適な位置にある光電センサを選定する光電センサ選定手段とを備え、前記光電センサ選定手段で選定された光電センサにより得られる脈波成分を用いて血圧を算出するようにした電子血圧計において、前記血圧算出は、カフ内の減圧過程で行い、前記光電センサ選定手段による光電センサの選定は、カフ内の加圧過程で行うことを特徴とする電子血圧計。
【請求項５】
生体の測定部位を加圧するためのカフと、カフ内を加圧・減圧する圧力制御手段と、カフ内の圧力を検出する圧力検出手段と、カフのそれぞれ異なる位置に設けられた複数個の脈波成分検出用の光電センサと、カフに設けられると共に体動成分を検出する少なくとも１個の体動成分検出手段と、光電センサで得られた脈波成分から体動成分検出手段で得られた体動成分を除去して血圧を算出する血圧算出手段と、複数個の光電センサのうち、被測定者の属性に最適な位置にある光電センサを選定する光電センサ選定手段とを備え、前記光電センサ選定手段で選定された光電センサにより得られる脈波成分を用いて血圧を算出するようにした電子血圧計において、前記血圧算出は、カフ内の減圧過程で行い、前記光電センサ選定手段による光電センサの選定は、血圧算出と併行して行うことを特徴とする電子血圧計。
【請求項６】
生体の測定部位を加圧するためのカフと、カフ内を加圧・減圧する圧力制御手段と、カフ内の圧力を検出する圧力検出手段と、カフのそれぞれ異なる位置に設けられた複数個の脈波成分検出用の光電センサと、カフに設けられると共に体動成分を検出する少なくとも１個の体動成分検出手段と、光電センサで得られた脈波成分から体動成分検出手段で得られた体動成分を除去して血圧を算出する血圧算出手段と、複数個の光電センサのうち、被測定者の属性に最適な位置にある光電センサを選定する光電センサ選定手段とを備え、前記光電センサ選定手段で選定された光電センサにより得られる脈波成分を用いて血圧を算出するようにした電子血圧計において、前記血圧算出は、カフ内の加圧過程で行い、前記光電センサ選定手段による光電センサの選定は、血圧算出と併行して行うことを特徴とする電子血圧計。
【発明の詳細な説明】
【０００１】
【発明の属する技術分野】
本発明は、体動に起因するノイズ、アーティファクタの影響を受け難くした電子血圧計に関する。
【０００２】
【従来の技術】
従来、光電脈波を用いた方式の血圧計としては指式血圧計がある。この指式血圧計のような従来の血圧計は、カフで圧迫する指の動脈が体表から浅い部分にあり、その拍動を測定し、血圧を決定する方式として構成されている。このため、
ｉ）発光素子と受光素子との間の距離が短い。
ii）測定中の体動によって光電脈波信号に体動ノイズが重畳する。
ことから、次の問題点▲１▼，▲２▼がある。
▲１▼動脈が体表から深い部分にあるような部位（例えば上腕）では、脈波の測定が困難となり、光電脈波方式の血圧測定は困難となる。
▲２▼体動中の測定では、測定エラーが多発したり、測定精度が悪化したりする。
【０００３】
そこで、これらの問題点▲１▼，▲２▼を解決するために、本出願人は、
ａ）生体内での減衰率の少ない波長（７００〜１０００ｎｍ）の光を測定光として用いる。
ｂ）発光素子と受光素子との間の距離を所定の範囲（２０〜９０ｍｍ）に設定する。
ｃ）光電脈波検出用として複数個のセンサを用いる。
条件を備え、体表から深い部分にある動脈の拍動からでも光電脈波信号を得ることを可能とした血圧計を開発した。
【０００４】
【発明が解決しようとする課題】
ところで、後者の血圧計においては、複数個のセンサで得られた光電脈波信号のうち、どの信号が最も血圧算出に適しているかは、被測定者の属性（例えば測定部位の周長、動脈の深さ、皮下脂肪の厚さなど）により異なるため、被測定者ごとに適正なセンサを選定する必要がある。しかしながら、被測定者の属性は、被測定者自身が容易に知り得る情報ではないため、血圧計側で適正なセンサを選定できない場合、結果的に精度が余り良くない血圧値を算出してしまう。
【０００５】
従って、本発明は、そのような問題点に着目してなされたもので、体表から深い部分にある動脈からも光電脈波信号を確実に得ること、被測定者の属性によらず血圧測定に最適なセンサを選定すること、及びそれらにより精度の高い血圧測定を行うことを実現する電子血圧計を提供することを目的とする。
【０００６】
【課題を解決するための手段】
前記目的を達成するために、本発明の請求項１記載の電子血圧計は、生体の測定部位を加圧するためのカフと、カフ内を加圧・減圧する圧力制御手段と、カフ内の圧力を検出する圧力検出手段と、カフのそれぞれ異なる位置に設けられた複数個の脈波成分検出用の光電センサと、カフに設けられると共に体動成分を検出する少なくとも１個の体動成分検出手段と、光電センサで得られた脈波成分から体動成分検出手段で得られた体動成分を除去して血圧を算出する血圧算出手段と、複数個の光電センサのうち、複数個の光電センサにより得られる光電脈波信号を周波数解析して信号パワーを算出し、各光電センサにより得られる脈波成分と体動成分の信号パワーを比較し、脈波成分対体動成分比が最も高い光電センサを、被測定者の属性に最適な位置にある光電センサとして選定する光電センサ選定手段とを備え、前記光電センサ選定手段で選定された光電センサにより得られる脈波成分を用いて血圧を算出するようにしたことを特徴とする。
【０００７】
この電子血圧計は、体動成分検出手段で検出した体動成分（ノイズ成分）を用いて、ノイズ成分が重畳した脈波成分検出用の光電センサの脈波信号からノイズ成分のみを低減するものである。その際、正確な血圧算出を行うため、脈波の検出に動脈の拍動を直接捉える手法（例えば光電脈波）を用いる。この手法は、カフ圧の分布の影響を受けないカフ中央部の動脈の拍動を直接捉えることが可能であり、コロトコフ音と同様に最高血圧・最低血圧において特徴的な変化を示し、正確な血圧測定が可能となる。
【０００８】
ところが、動脈が体表から深い部分にある部位（例えば上腕）では、前記したとおり脈波の測定が困難である。そこで、複数個の脈波成分検出用の光電センサを、カフのそれぞれ異なる位置に設けることにより、好ましくは光電センサの発光素子と受光素子との間の距離が２０〜９０ｍｍとなるように設けると共に、生体内で減衰率の少ない波長（７００〜１０００ｎｍ）の光を脈波測定光とするものを用いることにより、体表から深い部分にある動脈の拍動を光電脈波として捉えることが可能となる。
【０００９】
ここで、カフの異なる位置に複数個の光電センサを設けるのは、血圧算出に最適な光電センサの位置が被測定者の属性により異なるからである。但し、ここでいう被測定者の属性とは、測定部位の周長、動脈の体表からの深さ、皮下脂肪の厚さなどである。
本発明の電子血圧計では、光電センサ選定手段により、複数個の脈波成分検出用の光電センサのうち、複数個の光電センサにより得られる光電脈波信号を周波数解析して信号パワーを算出し、各光電センサにより得られる脈波成分と体動成分の信号パワーを比較し、脈波成分対体動成分比が最も高い光電センサが、予め血圧算出に最適な位置にある光電センサとして選定され、選定された光電センサにより得られる脈波成分を用いて血圧を算出するので、前記問題点を解決することができる。即ち、体表から深い部分にある動脈からも光電脈波信号を確実に得ることができ、被測定者の属性によらず血圧測定に最適なセンサを選定でき、よって精度の高い血圧測定を行うことができる。
【００１０】
なお、本発明において、体動成分検出手段としては、生体の動きを物理量に変換して測定するセンサの場合は、速度センサ、加速度センサ、位置センサ、変位センサ、角度センサ、方位センサ、傾斜センサなどを、生体の動きによって変化する生体量（例えば血液量）を測定するセンサの場合は、光電センサなどを用いればよい。
【００１１】
【発明の実施の形態】
以下、本発明を実施の形態に基づいて説明する。
その第１の実施形態に係る電子血圧計の構成を図１にブロック図で示す。この電子血圧計は、生体の測定部位を加圧するためのカフ１と、カフ１内を加圧する加圧ポンプ（圧力制御手段）２と、カフ１内を減圧する排気弁（圧力制御手段）３と、カフ１内の圧力を検出する圧力センサ（圧力検出手段）４と、算出された血圧値等を表示する表示器５と、加圧ポンプ２、排気弁３、表示器５等を制御するＣＰＵ６と、圧力センサ４からの出力を増幅する増幅器７と、増幅器７からのアナログ信号をデジタル信号に変換してＣＰＵ６に入力するＡ／Ｄ変換器８とを備える。但し、ここまでの構成は従来の血圧計と同様である。
【００１２】
この電子血圧計は、カフ１に設けられた複数個の脈波成分検出用の光電センサ１０-1，…，１０-nと、同じくカフ１に設けられた体動成分検出手段としての１個の加速度センサ１１とを備え、光電センサ１０-1，…，１０-nがカフ１のそれぞれ異なる位置に設けられ、ＣＰＵ６が光電センサ１０-1，…，１０-nで得られた脈波成分から加速度センサ１１で得られた体動成分を除去して血圧を算出する血圧算出機能と、複数個の光電センサ１０-1，…，１０-nのうち、被測定者の属性に最適な位置にある光電センサを選定する光電センサ選定機能とを有し、選定された光電センサにより得られる脈波成分を用いて血圧を算出するようにした点が特徴である。
【００１３】
なお、光電センサ１０-1，…，１０-nは、前記したとおり発光素子と受光素子との間の距離が２０〜９０ｍｍの範囲になるように設けられ、生体内で減衰率の少ない波長（７００〜１０００ｎｍ）の光を使用するものである。
各光電センサ１０-1，…，１０-nの光電脈波信号は、それぞれ増幅器１２-1，…，１２-nによって増幅され、更にＡ／Ｄ変換器８でデジタル信号に変換されて、ＣＰＵ６に入力される。また、加速度センサ１１の体動信号は、増幅器１３で増幅され、Ａ／Ｄ変換器８でデジタル信号に変換されてから、ＣＰＵ６に入力される。
【００１４】
図２に示す第２の実施形態に係る電子血圧計は、体動成分検出手段として、加速度センサ１１の代わりに、１個の光電センサ１４を用いるものであり、図３に示す第３の実施形態に係る電子血圧計は、体動成分検出手段として複数個の光電センサ１４-1，…，１４-nを用いるものである。それ以外の構成は、第１の実施形態の電子血圧計と同様である。
【００１５】
第１の実施形態の電子血圧計（図１参照）におけるカフ１の概略断面図を図４に示す。図４は、カフ１を上腕４０に装着した状態を示し、上腕４０内に骨４１と動脈４２が延伸している。ここでは、体動成分検出用の加速度センサ１１はカフ１の表側に取付けられ、脈波成分検出用の複数個（３個）の光電センサ１０-1，１０-2，１０-3はカフ１の内側（体表対面側）に取付けられている。光電センサ１０-1，１０-2，１０-3は、各々が発光素子及び受光素子で構成されるのではなく、発光素子２０が全ての光電センサに共通とされ、受光素子２１，２２，２３が各光電センサ用とされる。発光素子２０と受光素子２１〜２３は、カフ１の周方向（上腕４０の横断方向）における異なる位置に配置され、また各受光素子２１，２２，２３は、発光素子２０からそれぞれ異なる位置に配置されている。勿論、発光素子２０と受光素子２１〜２３は、前記所定の範囲（２０〜９０ｍｍ）に位置決めされている。
【００１６】
第２の実施形態の電子血圧計（図２参照）におけるカフ１の概略断面図を図５に示す。図５では、体動成分検出用の光電センサ１４は発光素子及び受光素子で構成されず、発光素子は脈波成分検出用の光電センサ１０-1，１０-2，１０-3の発光素子２０と共通であり、受光素子３１のみが発光素子２０を挟んで受光素子２１〜２３とは反対側に配置されている。
【００１７】
第３の実施形態の電子血圧計（図３参照）におけるカフ１の概略断面図を図６に示す。図６では、体動成分検出用の複数個（３個）の光電センサ１４-1，１４-2，１４-3は、図５の場合と同様に、発光素子が脈波成分検出用の光電センサ１０-1，１０-2，１０-3の発光素子２０と共通であり、３個の受光素子３１，３２，３３がそれぞれ異なる位置に配置されている。この場合、発光素子２０と各受光素子３１，３２，３３との間の距離は、それぞれ発光素子２０と受光素子２１，２２，２３との間の距離と同一に設定されている。
【００１８】
特に図６の場合、被測定者の属性に最適な位置にある脈波成分検出用の光電センサ１０-1，１０-2，１０-3を選定するときに、体動成分の基本周波数を求めるのに使用する体動信号は、複数個（３個）の体動成分検出用の光電センサ１４-1，１４-2，１４-3のうち、いずれのセンサの出力を用いてもよい。これは、選定時には体動成分の基本周波数のみを必要としているからである。
【００１９】
又、体動成分検出用の光電センサ１４-1，１４-2，１４-3を複数個設ける利点としては、脈波に重畳している体動ノイズを除去するのに有効となる。即ち、被測定者の属性に最適な位置にあるとして選定された脈波成分検出用の光電センサに対応する体動成分検出用の光電センサを用いてノイズ除去を行う。具体的には、脈波成分検出用の光電センサ１０-1（即ち受光素子２１）が選定されたとすると、発光素子２０と受光素子２１との間の距離と同一距離に位置する体動成分検出用の光電センサ１４-1（即ち受光素子３１）で得られる体動信号を用いてノイズを除去する。光電脈波信号、体動信号とも発光素子２０から同一距離に位置する受光素子で取得することにより、体動成分である生体量の変化量が光電脈波信号と体動信号に同じように働くため、光電脈波信号に重畳している体動成分と相関の高い体動信号を得ることができ、ノイズの除去効率が高くなる。
【００２０】
更に、図４〜図６に示すカフ１では、脈波成分検出用及び体動成分検出用の光電センサは、いずれもカフ１の周方向に垂直な方向（動脈４２の延伸方向）における中央又は中央より生体１の末端側（手側）に配置されている。このため、光電脈波信号及び体動信号を正確に検出できる。これは、カフ１の前記中央より心臓側では、カフ１を最高血圧以上に加圧しても、カフ中央部と比較して圧迫力が弱くなっているため、動脈４２が完全に阻血されず、心臓の鼓動に応じた脈波が生じる場合があるからである。
【００２１】
ところで、被測定者の属性に最適な位置にある脈波成分検出用の光電センサの選定は、血圧をカフの減圧過程又は加圧過程のいずれかで測定するかにより、様々な過程で実行できる。例えばその選定を減圧測定で行う場合において、上記図３及び図６のように構成された電子血圧計の動作について図７のフロー図を参照して説明する。この場合、血圧測定は減圧過程で行う。つまり、図９に示すように、カフ１を一旦最高血圧以上に加圧し、この加圧過程で脈波成分検出用の光電センサの選定を行い、加圧後、一定圧で減圧していき、血圧決定方法として例えば、その減圧過程での脈波出現点を最高血圧、脈波消失点を最低血圧とする。血圧決定方法としては、この他に脈波振幅の包絡線を算出し、所定の閾値を設定して決定する方法などもある。
【００２２】
まず、ステップ（以下、ＳＴと略す）１において、全ての変数が初期化された後、カフの加圧が開始される（ＳＴ２）。この加圧中に、発光素子２０と受光素子２１〜２３で構成される脈波成分検出用の光電センサ１０-1，１０-2，１０-3により、光電脈波信号が測定され、発光素子２０と受光素子３１〜３３で構成される体動成分検出用の光電センサ１４-1，１４-2，１４-3により、体動信号が測定される（ＳＴ３）。
【００２３】
次いで、被測定者の属性に最適な位置にある脈波成分検出用の光電センサが決定される（ＳＴ４）。最適な光電脈波信号の指標として、各光電センサからの光電脈波信号を周波数解析して信号パワーを算出し、各信号パワーにおける脈波成分と体動成分の信号パワーを比較し、脈波成分対体動成分比（以下、Ｓ／Ｎ比という）が最も高い光電センサを、被測定者の属性に最適な位置にある光電センサとする。Ｓ／Ｎ比が高いということは、体動ノイズに比べ、脈波成分が良好に捉えられていることを意味するから、Ｓ／Ｎ比が最も高い信号パワーが得られる光電センサは被測定者の属性に適していることになる。逆に、Ｓ／Ｎ比が低いということは、体動ノイズに比べ、脈波成分が十分に捉えられていないことを意味するため、Ｓ／Ｎ比が低い信号パワーしか得られない光電センサは被測定者の属性に適していないことになり、以後の体動ノイズ除去処理において、十分なノイズ除去効果が期待できず、正確な血圧算出が行えない。
【００２４】
上記のとおり被測定者の属性に最適な位置にある脈波成分検出用の光電センサが決定された後、選定された脈波成分検出用の光電センサに対応する体動成分検出用の光電センサが決定される（ＳＴ５）。即ち、図６において、被測定者の属性に最適な位置にある脈波成分検出用の光電センサとして、例えば光電センサ１０-3（受光素子２３）が選定された場合、発光素子２０と受光素子２３との間の距離と同一距離に位置する光電センサ１４-3（受光素子３３）が決定される。
【００２５】
カフの内圧が最高血圧以上に達したら、一定圧での減圧が開始され（ＳＴ６）、その減圧過程でカフ圧力の測定、光電脈波信号の測定、体動信号の測定が行われ（ＳＴ７）、その測定結果により光電脈波信号からノイズとなる体動成分が除去される（ＳＴ８）。
光電脈波信号を周波数解析して算出した信号パワー中から脈波成分と体動成分を検出する具体的手法は、次のとおりである。最初に、複数個（３個）の体動成分検出用の光電センサ１４-1，１４-2，１４-3のうち、前記のように任意の光電センサで測定した体動信号を周波数解析し、体動成分の基本周波数を算出する。続いて、光電脈波信号を周波数解析して得られる信号パワー中において、先に求めた体動成分の基本周波数と合致する成分が体動成分の信号パワーとなり、残りの信号パワー中において、体動成分の基本周波数の高調波成分を除去して得られる成分が脈波成分の信号パワーとなる。
【００２６】
例えば図１１及び図１２は体動中における血圧測定を示し、図１１は３個の脈波成分検出用の光電センサにより得られる光電脈波信号を示し、図１２は２個の体動成分検出用の光電センサにより得られる体動信号を示している。これより明らかなように、光電脈波信号の信号パワーにおいて、体動成分の基本周波数に合致する成分が体動成分の信号パワーとなる。
【００２７】
光電脈波信号から体動成分が除去された後、最高血圧及び最低血圧が算出され（ＳＴ９）、得られた血圧値が表示される（ＳＴ１０）。
上記図７のフロー図は、被測定者の属性に最適な位置にある脈波成分検出用の光電センサの選定を減圧測定で行う場合であるが、加圧測定で行う場合のフロー図を図８に示す。この場合、カフの加圧中に血圧測定を行う。脈波成分検出用の光電センサの選定は、図１０に示すように、例えば血圧測定のための加圧の前に予備加圧を行い、この予備加圧過程で行う。これは、加圧測定では、カフ圧が最低血圧よりも低い場合、脈波が出現する区間が存在しない場合があるからである。
【００２８】
まず、ＳＴ１１で初期化が行われた後、カフの予備加圧が行われ（ＳＴ１２）、その予備加圧中に光電脈波信号及び体動信号が測定される（ＳＴ１３）。そして、前記と同様に、被測定者の属性に最適な位置にある脈波成分検出用の光電センサが決定され（ＳＴ１４）、それに応じて体動成分検出用の光電センサが決定される（ＳＴ１５）。
【００２９】
次いで、カフが最高血圧以上に加圧され（ＳＴ１６）、その加圧過程でカフ圧力の測定、光電脈波信号の測定、体動信号の測定が行われ（ＳＴ１７）、その測定結果により光電脈波信号から体動成分が除去される（ＳＴ１８）。その後、最高血圧及び最低血圧が算出され（ＳＴ１９）、得られた血圧値が表示され（ＳＴ２０）、カフが急速排気される（ＳＴ２１）。
【００３０】
なお、図７及び図８のフロー図は、被測定者の属性に最適な位置にある脈波成分検出用の光電センサの選定を、それぞれ減圧測定及び加圧測定で行う場合であるが、減圧測定及び加圧測定のいずれにおいても、血圧算出（図７のＳＴ９、図８のＳＴ１９）中に行うことも可能である。
又、上記実施形態は、体動中の血圧測定での選定に係るが、安静時の血圧測定においても同様である。即ち、この場合、光電脈波信号を周波数解析して得られる信号パワーの最も高い光電センサが被測定者の属性に最適な位置にある光電センサとなる。
【００３１】
例えば図１３及び図１４は安静下における血圧測定を示し、図１３は３個の脈波成分検出用の光電センサにより得られる光電脈波信号を示し、図１４は２個の体動成分検出用の光電センサにより得られる体動信号を示している。この場合、光電脈波信号の信号パワーにおいて、信号パワーが最も高い光電センサ（ここではセンサ３）が最適となる。
【００３２】
更に、血圧測定が体動中で行われているか、或いは安静下で行われているかの判定も同様に行うことが可能である。つまり、図１４に示すように、体動成分検出用の光電センサで測定した体動信号を周波数解析して得られる信号パワーの値を、予め設定しておいた閾値と比較する。信号パワーが閾値より大きい場合は体動ノイズであると判定し、その体動ノイズを多く検出したときは、体動中の測定と判定する。反対に、信号パワーが閾値より小さい場合は体動ノイズではないと判定し、体動ノイズを全く検出しないか少ししか検出しないときは、安静下の測定と判定する。
【００３３】
この他、上記フロー図は、体動成分検出用として複数個の光電センサを用いる場合（図３参照）であるが、１個の加速度センサや光電センサの場合（図１、図２参照）も同様である。但し、この場合は、脈波成分検出用の光電センサの選定に応じて体動成分検出用のセンサを決定する必要はない。
【００３４】
【発明の効果】
本発明の電子血圧計は、以上説明したように構成されるため、下記の効果を有する。
（１）体表から深い部分にある動脈からも光電脈波信号を確実に得ることができる。
（２）複数個の脈波成分検出用の光電センサのうち、被測定者の属性によらず血圧測定に最適な脈波成分検出用の光電センサを選定することができる。
（３）（１），（２）により、精度の高い血圧測定を行うことができる。
（４）請求項３記載の発明によれば、光電脈波信号に重畳している体動成分と相関の高い体動信号を得ることができ、ノイズの除去効率が高くなる。
【図面の簡単な説明】
【図１】第１の実施形態に係る電子血圧計の構成を示すブロック図である。
【図２】第２の実施形態に係る電子血圧計の構成を示すブロック図である。
【図３】第３の実施形態に係る電子血圧計の構成を示すブロック図である。
【図４】第１の実施形態の電子血圧計におけるカフの概略断面図である。
【図５】第２の実施形態の電子血圧計におけるカフの概略断面図である。
【図６】第３の実施形態の電子血圧計におけるカフの概略断面図である。
【図７】血圧測定をカフの減圧過程で行う場合における第３の実施形態の電子血圧計の動作を示すフロー図である。
【図８】血圧測定をカフの加圧過程で行う場合における第３の実施形態の電子血圧計の動作を示すフロー図である。
【図９】血圧測定をカフの減圧過程で行う場合の時間とカフ圧との関係を示すグラフである。
【図１０】血圧測定をカフの加圧過程で行う場合の時間とカフ圧との関係を示すグラフである。
【図１１】体動中の血圧測定の場合で実施形態の電子血圧計における脈波成分検出用の光電センサで得られる光電脈波信号を示すグラフである。
【図１２】体動中の血圧測定の場合で実施形態の電子血圧計における体動成分検出用の光電センサで得られる体動信号を示すグラフである。
【図１３】安静下の血圧測定の場合で実施形態の電子血圧計における脈波成分検出用の光電センサで得られる光電脈波信号を示すグラフである。
【図１４】安静下の血圧測定の場合で実施形態の電子血圧計における体動成分検出用の光電センサで得られる体動信号を示すグラフである。
【符号の説明】
１                    カフ
２                    加圧ポンプ（圧力制御手段）
３                    排気弁（圧力制御手段）
４                    圧力センサ（圧力検出手段）
６                    ＣＰＵ（血圧算出手段、光電センサ選定手段）
１０-1，…，１０-n    脈波成分検出用の光電センサ
１１                  体動成分検出用の加速度センサ（体動成分検出手段）
１４-1，…，１４-n    体動成分検出用の光電センサ（体動成分検出手段）
【図１】
0003700048.tif 000002
【図２】
0003700048.tif 000003
【図３】
0003700048.tif 000004
【図４】
0003700048.tif 000005
【図５】
0003700048.tif 000006
【図６】
0003700048.tif 000007
【図７】
0003700048.tif 000008
【図８】
0003700048.tif 000009
【図９】
0003700048.tif 000010
【図１０】
0003700048.tif 000011
【図１１】
0003700048.tif 000012
【図１２】
0003700048.tif 000013
【図１３】
0003700048.tif 000014
【図１４】
0003700048.tif 000015